(57)【要約】 【課題】  スタッカの集積数を均一化でき、効率の良い区分処理を実現できる区分装置、および、区分設定情報の生成方法を提供する。【解決手段】  実施形態によれば、区分装置は、第１の生成手段と、第２の生成手段と、判別部と、区分部と、を有する。第１の生成手段は、区分情報ごとの過去の処理数を示す実績データを２パスの区分処理によって複数のスタッカに所定の順序で区分した結果を生成する。第２の生成手段は、第１の生成手段で生成した区分結果を用いて１パス目の区分処理の設定情報を生成する。判別部は、処理対象となる紙葉類の区分情報を判別する。区分部は、判別部により区分情報が判別した紙葉類を前記１パス目の区分処理の設定情報に従って区分する。【選択図】図１
2015150478.tif 000002
【特許請求の範囲】
【請求項１】
紙葉類を集積する複数のスタッカを有する区分装置であって、
区分情報ごとの過去の処理数を示す実績データを２パスの区分処理によって前記複数のスタッカに所定の順序で区分した結果を生成する第１の生成手段と、
前記第１の生成手段で生成した区分結果を用いて１パス目の区分処理の設定情報を生成する第２の生成手段と、
処理対象となる紙葉類の区分情報を判別する判別部と、
前記判別部により区分情報が判別した紙葉類を前記１パス目の区分処理の設定情報に従って区分する区分部と、
を有する区分装置。
【請求項２】
さらに、外部装置との通信部と、
前記通信部を介して区分情報ごとの実績データを外部装置から取得する取得手段と、を有する、
前記請求項１に記載の区分装置。
【請求項３】
前記第２の生成手段は、前記第１の生成手段で生成した２パスの区分処理の結果における個々のスタッカの集積結果ごとに、１パス目の区分処理におけるスタッカを割り当てた設定情報を生成する、
前記請求項１又は２の何れかに記載の区分装置。
【請求項４】
前記第２の生成手段は、前記実績データに対して前記１パス目の区分処理において各スタッカの集積数を均一化するようにスタッカを割り当てた設定情報を生成する、
前記請求項１乃至３の何れか１項に記載の区分装置。
【請求項５】
前記第２の生成手段は、前記実績データが複数となっている区分情報に対しては１パス目の区分処理において複数のスタッカを割り当てた設定情報を生成する、
前記請求項１又は２の何れかに記載の区分装置。
【請求項６】
紙葉類を集積する複数のスタッカを有し、区分情報とスタッカとを対応づけた設定情報に基づいて紙葉類を区分する区分装置に用いられる区分設定情報の生成方法であって、
区分情報ごとの過去の処理数を示す実績データを２パスの区分処理によって複数のスタッカに所定の順序で区分した結果を生成し、
前記生成した２パスの区分処理の結果を用いて１パス目の区分処理の設定情報を生成する、
区分設定情報の生成方法。
【請求項７】
さらに、外部装置から区分情報ごとの実績データを取得する、
前記請求項６に記載の区分設定情報の生成方法。
【請求項８】
前記１パス目の区分処理の設定情報は、前記生成した２パスの区分処理の結果における個々のスタッカの集積結果ごとに、１パス目の区分処理におけるスタッカを割り当てて生成する、
前記請求項６又は７の何れかに記載の区分設定情報の生成方法。
【請求項９】
前記１パス目の区分処理の設定情報は、前記実績データに対して前記１パス目の区分処理において各スタッカの集積数を均一化するようにスタッカを割り当てて生成する、
前記請求項６乃至８の何れか１項に記載の区分設定情報の生成方法。
【請求項１０】
前記１パス目の区分処理の設定情報は、前記実績データが複数となっている区分情報に対しては１パス目の区分処理において複数のスタッカを割り当てて生成する、
前記請求項６乃至９の何れか１項に記載の区分設定情報の生成方法。
【発明の詳細な説明】
【技術分野】
【０００１】
本発明の実施形態は、区分装置および区分設定情報の生成方法に関する。
【背景技術】
【０００２】
従来、複数のスタッカを有する区分装置では、２パスの区分処理により複数の紙葉類を所定の順番に並べ替えるものがある。処理対象となる全紙葉類の区分情報が確定していない状態（例えば、１パス目の区分処理）では、各スタッカに集積される紙葉類の数が確定できない。区分情報が確定していなければ、特定のスタッカが溢れる可能性もありうる。処理対象となる紙葉類の区分情報が確定していない場合であっても、効率良く区分処理できるような設定を行える区分装置が要望されている。
【先行技術文献】
【特許文献】
【０００３】
【特許文献１】特開２００３−１４５０５４号公報
【発明の概要】
【発明が解決しようとする課題】
【０００４】
本発明の実施形態は、スタッカの集積数を均一化でき、効率の良い区分処理を実現できる区分装置、および、区分設定情報の生成方法を提供することを目的とする。
【課題を解決するための手段】
【０００５】
実施形態によれば、区分装置は、第１の生成手段と、第２の生成手段と、判別部と、区分部と、を有する。第１の生成手段は、区分情報ごとの過去の処理数を示す実績データを２パスの区分処理によって複数のスタッカに所定の順序で区分した結果を生成する。第２の生成手段は、第１の生成手段で生成した区分結果を用いて１パス目の区分処理の設定情報を生成する。判別部は、処理対象となる紙葉類の区分情報を判別する。区分部は、判別部により区分情報が判別した紙葉類を前記１パス目の区分処理の設定情報に従って区分する。
【図面の簡単な説明】
【０００６】
【図１】図１は、実施形態に係る紙葉類処理装置としての区分システムの概略構成を示す図である。
【図２】図２は、実施形態に係る区分システムの動作例を説明するためのフローチャートである。
【図３】図３は、実施形態に係る区分システムにおける１パス面及び２パス面の生成処理の例を説明するためのフローチャートである。
【図４】図４は、実施形態に係る区分システムにおける１パス面及び２パス面の生成処理の例を説明するためのフローチャートである。
【図５】図５は、実施形態に係る区分システムにおける１パス面及び２パス面の生成処理の例を説明するためのフローチャートである。
【図６】図６は、実施形態に係る区分システムの２パス面の元データの例を示す図である。
【図７】図７は、実施形態に係る区分システムの管理データの例を示す図である。
【図８】図８は、図６に示す２パス面の元データを更新した例を示す図である。
【図９】図９は、実績データの例である。
【図１０】図１０は、図９の実績データに配達員の割り振りを追記した例である。
【図１１】図１１は、２パス面および１パス面のデータテーブルの例である。
【図１２】図１２は、１パスのスタッカの追加に伴って図１１を更新した例を示す図である。
【図１３】図１３は、２パスのスタッカの割り当ての再計算により図１２を更新した例を示す図である。
【図１４】図１４は、図１３のデータテーブルを用いた１パス面の設定例である。
【図１５】図１５は、１パス面の設定例である。
【図１６】図１６は、１パス面の設定例である。
【図１７】図１７は、１パス面の設定例である。
【図１８】図１８は、１パス面の設定例である。
【図１９】図１９は、１パス面の設定例である。
【図２０】図２０は、１パス面の設定例である。
【図２１】図２１は、１パス面の設定例である。
【図２２】図２２は、１パス面の設定例である。
【図２３】図２３は、１パス面の設定例である。
【図２４】図２４は、１パス面の設定例である。
【図２５】図２５は、１パス面の設定例である。
【図２６】図２６は、１パス面の設定例である。
【図２７】図２７は、１パス面の設定例である。
【図２８】図２８は、１パス面の設定例である。
【図２９】図２９は、１パス面の設定例である。
【図３０】図３０は、１パス面の設定例である。
【図３１】図３１は、１パス面の設定例である。
【図３２】図３２は、１パス面の設定例である。
【図３３】図３３は、１パス面の設定例である。
【発明を実施するための形態】
【０００７】
以下、実施の形態について、図面を参照して説明する。  
図１は、この発明の実施の形態に係る紙葉類処理装置としての区分システム（区分装置）１、および、区分システム１を含むネットワークシステム全体の構成例を概略的に示す図である。  
本実施の形態に係る区分装置としての区分システム１（１Ａ、１Ｂ、…）は、区分対象物（例えば、紙葉類あるいは物品などの配達物）を区分情報（例えば、住所情報）に基づいて区分するシステムである。たとえば、本実施の形態に係る区分システム１およびネットワークシステムは、住所情報が付与されている郵便物などの紙葉類を当該住所情報が示す配達先へ配達するためのシステムに適用される。
【０００８】
本実施の形態では、区分装置としての区分システム１（１Ａ、１Ｂ、…）は、区分情報としての住所情報に基づいて紙葉類を区分するものを想定して説明する。また、区分情報としての住所情報は、個々の配達先を示す特定する情報であって、区分対象物を配達順に区分するための情報全体である。住所情報は、たとえば、郵便番号などの所定の桁数（例えば、６桁、７桁など）の番号情報とそれらの番号情報以降の複数階層からなる情報とから構成されるものとする。
【０００９】
図１に示すように、複数の区分システム１を含むネットワークシステムは、複数の区分システム１と各区分システム１に接続されているセンタサーバ２とにより構成されている。すなわち、各区分システム１（１Ａ、１Ｂ、…）は、ネットワークを介してセンタサーバ２に接続される。センタサーバ２は、各区分システム１における情報を管理する。たとえば、センタサーバ２は、各区分システム１で処理した区分情報などを含む区分処理結果（処理履歴情報）などの区分処理データをネットワークを介して収集する。センタサーバ２は、収集した区分処理データをデータベースに記憶することによりシステム全体における区分処理に関するデータを管理する。
【００１０】
センタサーバ２は、制御部１１、記憶部１２、および、インターフェース（Ｉ／Ｆ）１３を有する。制御部１１は、プロセッサ１１ａ、メモリ１１ｂおよび各種の内部インターフェースなどを有する。制御部１１は、プロセッサ１１ａがメモリ１１ｂ或いは記憶部１２に記憶したプログラム（命令）を実行することにより各種の処理を実現する。記憶部１２は、各種のデータを記憶する不揮発性メモリである。例えば、記憶部１２は、各区分装置１から収集した区分処理データを蓄積するデータベース（ＤＢ）１２ａを有する。インターフェース１３は、各区分システム１と通信するためのネットワークインターフェースである。
【００１１】
センタサーバ２は、インターフェース１３を介して各区分システム１とデータの送受信を行う。各区分システム１と通信可能なセンタサーバ２は、各区分システム１からの要求に応じて記憶部１２に記憶したデータを供給する機能を有する。たとえば、区分装置１は、特定の区分情報について区分情報ごとの処理数（過去の処理実績数などの区分処理データ）をセンササーバ２へ要求する。センタサーバ２は、区分システム１からの要求に応じて記憶部１２からデータを抽出し、抽出したデータを要求元の区分システム１へ送信する。言い換えれば、ネットワークシステムは、各区分システム１が、他の区分システムを含むシステム全体から収集した過去の区分処理データ（区分処理の履歴情報）をセンタサーバ２から取得できるシステムである。
【００１２】
次に、各区分システム１の構成例について説明する。  
図１に示す構成例において、区分システム１は、区分装置本体Ｂとコンピュータ（データ処理機）Ｃとにより構成される。区分装置本体Ｂは、区分処理を実施するユニットである。区分装置本体Ｂは、制御部２０、供給部２１、搬送部２２、判別部２３、集積部２４、および、オペレーションパネル２５を有する。
【００１３】
制御部２０は、区分装置１全体の制御を司る。制御部２０は、プロセッサ３１、メモリ３２、インターフェース３３、および区分テーブル３４を有する。制御部２０は、プロセッサ３１がメモリ３２に記憶したプログラム（命令）を実行することにより、各種の処理を実現する。制御部２０は、区分システム１内の各部の制御および各種のデータ処理を行う。たとえば、制御部２０は、区分処理に関連する処理モードの設定処理などを実行する。また、制御部２０は、区分装置１内に設置したセンサからの検知信号に基づいて紙葉類の搬送を制御する。また、制御部２０は、ネットワークなどを介してセンタサーバ２と通信する処理を行う。
【００１４】
図１に示す構成例においては、制御部２０は、区分情報に対応する区分割り当ての設定情報（区分指定情報）を記憶する区分テーブル３４を有する。区分テーブル３４は、制御部２０が参照可能な状態であればよく、例えば、制御部２０にネットワークを介して接続されたコンピュータが保持するものであっても良い。区分テーブル３４は、制御部２０により設定情報が登録及び更新されるようにしても良いし、コンピュータＣにより設定情報が登録及び更新されるようにしても良い。区分テーブル３４に記憶する設定情報は、後述する区分指定の最適化処理によって作成あるいは更新されるものとする。
【００１５】
供給部２１は、トレイ４１と取出機構４２とを有する。トレイ４１は、区分処理の対象とする紙葉類を保持する。トレイ４１には、紙葉類の第１面（区分情報としての住所情報が記載された面）が同一方向を向くように後端を揃えて立位で収容される。トレイ４１は、収容されている紙葉類を所定の取出位置へ供給する。取出機構４２は、トレイ４１上の取出位置において紙葉類を所定の間隔で一通ずつ取出す。取出機構４２は、取り出した紙葉類を搬送部２２へ供給する。
【００１６】
搬送部２２は、搬送路４３、４４を有する。搬送路４３は、供給部２１により一定の取出し間隔で取出された紙葉類を一定の搬送間隔（ピッチ）で判別部２３へ搬送する。搬送路４３は、一定速度で走行する搬送ベルトにより構成する。搬送路４３上には、紙葉類が機械処理可能か否かを検知する異物・硬さ検知部および機械処理が不可能と判断された紙葉類を排除する排除集積部を設けても良い。搬送路４４は、判別部２３を通過した紙葉類を集積部２４へ搬送する。
【００１７】
判別部２３は、紙葉類の区分情報（住所情報）を判別する。判別部２３は、紙葉類の区分情報が付与されている第１面の画像を光学的に読み取るスキャナ４５とスキャナ４５により読み取った画像から当該紙葉類の区分情報を認識する認識部４６とを有する。認識部４６は、紙葉類に付与されている区分情報を認識する。たとえば、区分情報が文字で記載されている場合、認識部４６は、紙葉類の読取画像に対する文字認識処理により区分情報を認識する。文字認識処理において、認識部４６は、住所情報データベースあるいは区分テーブル３４に登録されている区分情報（住所情報）を参照することにより、認識結果としての区分情報を特定するようにしても良い。また、紙葉類に区分情報を示すバーコードが印刷されている場合、認識部４６は、スキャナ４５が読み取った紙葉類の画像から紙葉類に印刷されているバーコードを抽出し、抽出したバーコードを区分情報に変換する。
【００１８】
判別部２３による区分情報の判別結果は、制御部２０へ通知される。制御部２０は、判別部２３による区分情報の判別結果および区分テーブル３４の区分指定情報に基づいて紙葉類の区分先を決定する。制御部２０は、決定した区分先に応じて紙葉類の搬送を制御する。判別部２３のスキャナ４５による読取位置を通過した紙葉類は、搬送部２２の搬送路４４により集積部２４へ搬送される。なお、集積部２４に搬送されるまでに、区分情報が判別できなかった紙葉類は、リジェクトされる。
【００１９】
集積部２４は、複数のゲートＧ（Ｇ１、Ｇ２、…）と複数のスタッカＳ（Ｓ１、…、ＳＮ）とを有する。集積部２４は、制御部２０から区分先とするスタッカの指示（あるいは直接的な各ゲートの駆動指示）に基づいて、各ゲートＧ（Ｇ１、Ｇ２、…）を駆動させることにより、紙葉類を各スタッカＳ１、…、ＳＮへ選択的に集積させる。集積部７におけるスタッカの総数Ｎは、区分装置ごとに設定される。たとえば、スタッカの総数Ｎは、区分装置の運用形態あるいは処理量などにより設定される。たとえば、集積部２４は、ｎ×ｍ＝Ｎ個のスタッカＳ１、…、ＳＮがｎ行ｍ列に配置される。
【００２０】
判別部２３により判別された区分情報は、制御部２０へ通知される。制御部２０は、判別部２３による判別結果としての区分情報と区分テーブル３４に記憶されている区分指定情報に基づいて当該紙葉類を集積するスタッカ（区分先）を決定する。紙葉類を集積するスタッカを決定すると、制御部２０は、所望のスタッカへ紙葉類を搬送するように、各ゲートＧを制御する。
【００２１】
また、区分装置本体Ｂは、オペレーションパネル２５を有する。オペレーションパネル２５は、制御部２０に接続される。オペレーションパネル２５は、操作部および表示部を有する。たとえば、オペレーションパネル２５は、タッチパネル内蔵の表示装置などにより構成しても良い。表示部は、操作案内あるいは処理状況などの種々の情報を表示する。操作部では、オペレータが各種の情報を入力する。
【００２２】
また、コンピュータＣは、区分装置本体Ｂに接続される。図１に示す構成例では、コンピュータＣは、区分装置本体Ｂにおける制御部２０のインターフェース３３およびセンタサーバ２に接続されている。図１に示す構成例において、コンピュータＣは、プロセッサ５１、メモリ５２、インターフェース５３などを有する。
【００２３】
プロセッサ５１は、メモリ５２に記憶したプログラム（命令）を実行することにより種々の処理を実現する。メモリ５２は、プロセッサ５１が実行するプログラムを記憶する不揮発性のメモリ、作業用のデータを一時的に記憶する揮発性メモリ、および、データを記憶する大容量の不揮発性メモリなどを有する。インターフェース５３は、区分装置本体Ｂの制御部２０と通信インターフェース、および、ネットワークを介してセンタサーバ２と通信するためのネットワークインターフェースを有する。
【００２４】
コンピュータＣは、プロセッサ５１がメモリ５２に記憶したプログラムを実行することにより、センタサーバ２から取集した情報に基づいて区分処理の設定情報を最適化する区分指定の最適化処理を実行する。コンピュータＣは、区分指定の最適化処理によって、各区分情報に対する区分先のスタッカを示す設定情報を区分テーブル３４に登録或いは更新する。
【００２５】
次に、区分システム１における２パスの区分処理について概略的に説明する。  
本区分システム１は、区分装置本体Ｂにおいて、区分情報に基づいて紙葉類を所定の順序に並べる区分処理を行う。区分装置本体Ｂは、住所情報に基づいて紙葉類を所定の順序に区分するため、基数ソート法を用いた区分処理を行う。基数ソート法は、複数回の区分処理を行うことにより紙葉類を区分情報（例えば、住所情報）に基づく所定の順序（たとえば、配達順序）に並べるように区分する手法である。本実施形態に係る区分装置本体Ｂは、１回目（１パス目）の区分処理で区分した紙葉類が所定の順序で再供給され、２回目（２パス目）の区分処理で全紙葉類を所定の順序に並べる２パスの区分処理（２パス処理）により区分処理を実行するものとする。
【００２６】
２パス処理では、区分テーブル３４に格納した区分指定情報（区分設定情報）に基づいて紙葉類を区分する。区分テーブル３４に格納する区分指定情報には、１パス目の区分処理において各区分情報の区分先（スタッカ）を示す設定情報（１パス面）と２パス目の区分処理において各区分情報の区分先（スタッカ）を示す設定情報（２パス面）とがある。たとえば、区分情報が２ケタの数である場合、２パス処理によって紙葉類を所望の順番に並べるアルゴリズムとしては、ランダムに並べられた紙葉類を１パス目の区分処理では１ケタ目の数字で区分し、１パス目の区分した順番で供給される紙葉類を２パス目の区分処理では２ケタ目の数字で区分すれば、全紙葉類を所望の順序に並べられる。
【００２７】
実際の区分処理では、物理的な容量（最大集積数）が決まっている各スタッカに指定された区分情報の紙葉類を集積するため、特定の区分情報が想定よりも多ければ特定のスタッカが溢れる可能性がある。また、１パス目の区分処理では、区分情報が未確定の状態であるため、実際の区分情報に応じてスタッカを割り当てることができない。本実施形態の区分システム１では、センタサーバ２から取得する過去の処理データ（実績データ）を用いて、１パス目の区分処理であっても各スタッカへの集積数を均一化（平均化）する区分指定の最適化処理を行う。
【００２８】
次に、区分システム１が区分指定の最適化処理を実施する流れについて説明する。  
区分システム１は、区分テーブル３４に登録されている区分指定情報を過去の処理データに基づいて最適化する区分指定の最適化処理を行う機能を有する。区分指定の最適化処理は、任意のタイミングで実行するようにできる。たとえば、区分指定の最適化処理は、オペレータの指示に応じて実行するようにしても良いし、定期的に行っても良いし、特定のイベントが発生したときに実行するようにしても良い。ここでは、オペレータの指示に応じて区分指定の最適化処理を実行するものとする。
【００２９】
図２は、区分指定の最適化処理を実行するまでの動作例を説明するためのフローチャートである。  
区分指定の最適化処理を実行する場合、オペレータは、区分装置本体Ｂのオペレーションパネル２５において区分指定の最適化処理の実行を指示する。区分装置本体Ｂにおいて、制御部２０は、オペレーションパネル２５に入力された指示内容を検出する。制御部２０は、区分指定の最適化処理の実行指示を検出すると、コンピュータＣに区分指定の最適化処理を要求する。コンピュータＣは、区分装置本体Ｂの制御部２０からの区分指定の最適化処理の要求を受け付け、区分指定の最適化処理を実行する。なお、区分指定の最適化処理は、制御部２０が行うようにしても良い。この場合、後述するコンピュータＣの処理は、制御部２０の処理として実行するものとすればよい。
【００３０】
区分指定の最適化処理の実行要求を受けると（ＳＴ１１、ＹＥＳ）、コンピュータＣのプロセッサ５１は、当該区分システム１が区分対象とする区分情報として、区分テーブル３４から区分情報を抽出する（ＳＴ１２）。すなわち、プロセッサ５１は、当該区分システム１において、区分処理（区分指定）の対象となる区分情報（例えば、住所情報）を抽出する。
【００３１】
区分処理の対象となる区分情報を抽出すると、プロセッサ５１は、抽出した各区分情報に対する過去の処理数（通数）などに関するデータ（以下、実績データと称する）をセンタサーバ２へ要求する。ここで、実績データは、当該区分システム１だけでの過去の処理数に限らず、当該ネットワークシステム全体の全区分システムにおける過去の処理数を集計したものであるものとする。
【００３２】
ただし、実績データは、全区分システムにおける過去の処理数ではなく、当該区分システムだけの過去の処理数であっても良いし、予め指定した特定の複数の区分システムにおける過去の処理数を集計したものであっても良い。また、実績データは、特定の期間における過去の処理数であっても良い。たとえば、特定の期間としては、過去数か月分、過去数年分、過去数年の特定月分（例えば、１２月分）、過去数年の特定の季節（春、夏、秋又は冬）分、あるいは、特定の時期（例えば、年末年始など）分などが想定できる。
【００３３】
センタサーバ２は、区分システム１からの実績データの要求に応じて、要求された実績データを要求元の区分システム１へ送信する機能を有する。すなわち、実績データの要求を受けた場合、センタサーバ２の制御部１１は、プロセッサ１１ａが要求された各区分情報に対する過去の処理数を記憶部１２のデータベース１２ａに記憶している処理履歴情報から抽出する。制御部１１のプロセッサ１１ａは、抽出した各区分情報の処理数を集計することにより、区分システムから要求された実績データを作成する。実績データを完成すると、制御部１１のプロセッサ１１ａは、実績データの要求元である区分システムへ作成した実績データをインターフェース１３により送信する。
【００３４】
区分システム１のコンピュータＣは、インターフェース５３によりセンタサーバ２からの実績データを受信する（ＳＴ１４）。各区分情報に対する過去の処理数を示す実績データを取得すると、コンピュータＣのプロセッサ５１は、当該実績データに基づいて区分指定の最適化処理を行う（ＳＴ１５）。区分指定の最適化処理は、過去データに基づいて、２パスの区分処理（２パス処理）における１パス目の区分処理の区分指定を最適化する処理である。区分指定の最適化処理の詳細については、後述する。
【００３５】
プロセッサ５１は、区分指定の最適化処理により区分指定の設定情報（区分処理における区分情報に対するスタッカの割り当てを示す情報（１パス面、２パス面））を作成する。区分指定を最適化した区分指定の設定情報（１パス面、２パス面）を作成すると、プロセッサ５１は、区分指定の最適化処理によって作成した区分指定の設定情報に基づいて区分装置本体Ｂの区分テーブル３４を更新する（ＳＴ１６）。
【００３６】
上記のような処理によれば、各区分システム１は、オペレータの指示などに応じて、センタサーバ２が収集する過去のデータを用いて区分テーブルを最適化する区分指定の最適化処理を実行する。これにより、区分システムは、処理対象の区分情報が未確定の状態であっても、過去の処理データ（実績）に基づいて集積部における各スタッカを効率的に割り振ることができる。この結果として、スタッカが満杯になることで区分処理が停止する確率が減少し、稼働率が向上する。また、スタッカの満杯に伴うオペレータによるスイープ回数が減少し、オペレータの作業量を軽減できる。
【００３７】
次に、２パス処理と区分指定の最適化処理とについて説明する。  
各区分システム１は、センタサーバ２から特定の区分情報に対する過去の処理数を示す通数データを取得できる。区分指定の最適化処理を実行する場合、各区分システム１のコンピュータＣは、区分情報ごとの過去の処理数を示す実績データを取得し、取得した実績データを用いて２パス処理の結果をシュミレーションし、シュミレーション結果に基づいて１パス目の区分指定を設定する。すなわち、コンピュータは、センタサーバ２から取得する実績データから２パス処理の結果を得ることができ、実績データに対する２パス処理の結果を用いて区分指定の最適化処理を実行する。
【００３８】
このように、センタサーバ２から取得する実績データに基づく２パス処理の結果（シュミレーション結果）から１パス面を最適化する処理を行えば、１パス目の区分処理において、各スタッカの集積数が均一化され、スタッカの溢れによる区分処理の中断が低減でき、オペレータの作業が軽減できる。また、実績データと実際に処理する紙葉類の区分情報との差異が大きくなると、各スタッカの集積数の差異も大きくなることが予測される。しかし、センタサーバ２には、実際の処理対象となった紙葉類に対する区分処理結果が増え続けるため、各区分システム１は、区分指定の最適化処理を適宜実行することにより、現状に適したスタッカの最適化処理を行えるものと考えられる。
【００３９】
次に、区分指定の最適化処理としての１パス面及び２パス面の生成処理について説明する。  
図３、図４および図５は、１パス面及び２パス面の生成処理の例を説明するためのフローチャートである。  
以下の説明では、１パス面及び２パス面の生成処理は、区分システム１のコンピュータＣが実行するものとする。つまり、区分システム１において、コンピュータＣのプロセッサ５１は、実績データに応じた２パス面を作成し、作成した２パス面を基に１パス面を作成する。
【００４０】
ただし、１パス面及び２パス面の生成処理は、区分装置本体Ｂの制御部２０が実行しても良いし、センタサーバ２が区分システム１からの要求に応じて実行するようにして良い。また、ここでは、区分システムが担当の配達員（配達単位）ごとに紙葉類を所定の順番に並べる区分処理を行う場合を想定する。このような運用においては、区分処理（２パス処理）の結果としては、配達員ごとに割り当てたスタッカに、紙葉類が所定の順番に並べらることが求められる。
【００４１】
まず、プロセッサ５１は、２パス面の元データを作成する（ＳＴ２１）。２パス面の元データは、配達員の情報と各配達員が担当する区分情報を示す情報とにより作成する。プロセッサ５１は、配達員の情報と各配達員が担当する区分情報を示す情報とを、コンピュータＣのメモリ５２から読み出すようにしても良いし、Ｉ／Ｆ５３を介して区分装置本体Ｂの制御部２０あるいはセンタサーバ２から取得するようにしても良い。コンピュータＣのプロセッサ５１は、配達員の情報と各配達員が担当する区分情報とに２パス面の元データを作成する。
【００４２】
図６は、２パス面の元データの例を示す図である。図６に示す例では、２パス面の元データとして、５人の配達員Ａ、Ｂ、Ｃ、Ｄ、Ｅに対して、それぞれ１つのスタッカＳ１、Ｓ２、Ｓ３、Ｓ４、Ｓ５を割り振っている。  
２パス面の元データを作成すると、プロセッサ５１は、区分装置本体Ｂにおけるスタッカの設定情報などの機器情報および区分情報に対する実績データなどの管理データに応じて２パス面の元データを更新することにより２パス面を作成する。
【００４３】
図７は、管理データの例を示す図である。図７では、「処理した紙葉類の総数」、「処理した紙葉類の区分情報の数」、「１パス目の区分処理（１パス区分）に利用できるスタッカ数（１パスの使用可能スタッカ数）」、「２パス目の区分処理（２パス区分）に利用できるスタッカ数（２パスの使用可能スタッカ数）」、「スタッカの最大集積数」の例が示されている。
【００４４】
「処理した紙葉類の総数」および「処理した紙葉類の区分情報の総数」は、当該区分システムが区分処理の対象する区分情報に対する過去の処理結果を示す統計データである。これらの統計データは、センタサーバ２から取得する実績データに含まれる。なお、図７に示す例では、「処理した紙葉類の総数」は「５０」、「処理した紙葉類の区分情報の数」は「２０」である。
【００４５】
また、「１パスの使用可能スタッカ数」、「２パスの使用可能スタッカ数」、「スタッカの最大集積数」は、区分装置本体Ｂにおける機器設定情報（区分装置の設定情報）である。これらの機器設定情報は、メモリ５２に管理データを記憶しておくようにしても良いし、プロセッサ５１が区分装置本体Ｂの制御部２０のメモリ３２から取得するようにしても良い。なお、図７に示す例では、「１パスの使用可能スタッカ数」は「８」、「２パスの使用可能スタッカ数」は「９」、「スタッカの最大集積数」は「１０」となっている。
【００４６】
すなわち、２パス面の元データを作成すると、プロセッサ５１は、先頭の配達員の情報を選択する（ＳＴ２２）。たとえば、プロセッサ５１は、図６に示す２パス面の元データに対して、先頭の配達員Ａの情報を選択する。
【００４７】
プロセッサ５１は、選択した配達員に対応する情報において、１つのスタッカに割り振った区分情報の数が１パスの使用可能スタッカ数よりも多いか否かを判断する（ＳＴ２３）。たとえば、図６に示す例では、配達員Ａには、スタッカＳ１が割り振られ、スタッカＳ１には、配達員Ａが担当する１０個の種類の区分情報が割り当てられている。図７に示すように、１パスの使用可能スタッカ数が「８」である場合、図６の配達員Ａの情報については、１つのスタッカに割り振った区分情報の数が１パスの使用可能スタッカ数よりも多いと判断される。
【００４８】
１つのスタッカに割り振った区分情報の数が１パスの使用可能スタッカ数を超えていると判断した場合（ＳＴ２３、ＹＥＳ）、プロセッサ５１は、選択している配達員に対応する２パスの割り振りスタッカを追加し、２パス面のデータを再計算（更新）する（ＳＴ２４）。すなわち、当該配達員にスタッカの割り振りを追加すると、プロセッサ５１は、当該配達員に割り振った複数のスタッカに対して当該配達員が担当する区分情報を振り分けた２パス面のデータを再計算する。
【００４９】
たとえば、図６に示す配達員Ａの情報について、１つのスタッカに割り振った区分情報の数が１パスの使用可能スタッカ数よりも多いと判断した場合、プロセッサ５１は、配達員Ａに対してスタッカを追加し、配達員Ａに２つのスタッカを割り振る。この場合、配達員Ａが担当する１０種類の区分情報を２つの分けて５種類の区分情報を２つのスタッカに割り当てる。
【００５０】
図８は、図６に示す配達員Ａに２つのスタッカＳ１、Ｓ２を割り振った例（スタッカを追加した例）である。図８に示す例では、スタッカＳ１には、配達員Ａが担当する１０種類の区分情報のうち５種類の区分情報を割り当て、スタッカＳ２には、配達員Ａが担当する１０種類の区分情報のうちスタッカＳ１に割り当てなかった残りの５種類の区分情報を割り当てている。なお、図８に示す例では、設定情報として配達員Ａを仮想的に「Ａ」と「Ａ´」とに分けているが、実際の配達員は「Ａ」である。たとえば、配達員Ａに３つ以上のスタッカを割り当てる場合、プロセッサ５１は、「Ａ」と「Ａ´」とを３つの分割するようにすればよい。
【００５１】
スタッカを追加して２パス面のデータを更新すると、プロセッサ５１は、再度、更新語のデータについても、１つのスタッカに割り振った区分情報の数が１パスの使用可能スタッカ数を超えていいるか否かを判断する（ＳＴ２３）。
【００５２】
１つのスタッカに割り振った区分情報の数が１パスの使用可能スタッカ数を超えていないと判断した場合（ＳＴ２３、ＮＯ）、プロセッサ５１は、選択した配達員が最終の配達員であるか否か（全配達員の情報を選択したか否か）を判断する（ＳＴ２５）。
【００５３】
最後の配達員でないと判断した場合（ＳＴ２３、ＮＯ）、プロセッサ５１は、２パス面のデータにおいて、次の配達員の情報を選択し（ＳＴ２２）、選択した配達員の情報についてＳＴ２３からの処理を実行する。
【００５４】
また、最後の配達員であると判断した場合（ＳＴ２３、ＹＥＳ）、プロセッサ５１は、２パス面の割振りスタッカ総数が２パスの使用可能スタッカ数以下であるか否かを判断する（ＳＴ２７）。２パス面のスタッカ総数が２パスの使用可能スタッカ数を超えている場合（ＳＴ２７、ＮＯ）、プロセッサ５１は、２パス面の生成が不可である旨を警告し、処理を中止する（ＳＴ２８）
２パス面の割振りスタッカ総数が２パスの使用可能スタッカ数以下であると判断した場合（ＳＴ２７、ＹＥＳ）、プロセッサ５１は、作成した２パス面のデータに実績データを組み合わせて２パス面を作成する処理を行う（ＳＴ３０〜ＳＴ４１）。
【００５５】
図９は、図６に示す各区分情報に対する実績データの例である。図１０は、図９の実績データに配達員の割り振りを追記した例である。図１１は、図１０の実績データに２パス面に関する情報と１パス面に関する情報とを対応づけたテーブルの例である。図１１に示すテーブルは、実績データに基づく２パス面の生成作業用のテーブルである。
【００５６】
図１１において、「区分情報」、「配達員」、「紙葉類数（区分情報ごとの過去の処理数）」は実績データである。また、図１１において、「２パス面のスタッカ」、「（２パスのスタッカの）集積数」、および、「２パスのスタッカに割り当てた区分情報の数」は２パス面に関する情報である。図１１において、「（２パスの１スタッカに対する１パスの）割り振りスタッカ総数」、「（区分情報ごとの１パスの）割り振りスタッカ数」、「紙葉類数／割り振りスタッカ数（紙葉類数÷割り振りスタッカ数の商）」、および、「紙葉類数をスタッカ数で割った余り」は１パス面に関する情報である。
【００５７】
すなわち、プロセッサ５１は、作成した２パス面のデータに実績データを組み合わせて２パス面の生成作業用のテーブルを作成する（ＳＴ３０）。２パス面のデータと実績データとを組み合わせた作業用のテーブルを作成すると、プロセッサ５１は、「（区分情報ごとの１パスの）割り振りスタッカ数」の初期値として全てを「１」にする。つまり、プロセッサ５１は、全ての区分情報に対して、１パス用として１つのスタッカを割り振る（ＳＴ３１）。図１１では、「区分情報ごとの１パスの割り振りスタッカ数」を初期値としての「１」にした状態を示している。
【００５８】
割り振りスタッカ数に初期値を設定した後、プロセッサ５１は、各区分情報に対する「紙葉類数／割り振りスタッカ数」のうち最大のものを選択する（ＳＴ３２）。たとえば、図１１に示す例では、区分情報「００２」および「０１７」が最大となっている。作業用テーブルの上から順番に選択するものとすれば、プロセッサ５１は、区分情報が「００２」の情報を選択する。
【００５９】
プロセッサ５１は、選択した情報の「紙葉類数／割り振りスタッカ数」が、同じ区分情報の紙葉類のスタッカを分割するか否かを判定するための基準値よりも大きいか否かを判断する（ＳＴ３３）。「紙葉類数／割り振りスタッカ数」が基準値よりも大きいと判断した場合（ＳＴ３３、ＹＥＳ）、プロセッサ５１は、当該区分情報に対して２パス用のスタッカを追加する処理を行う（ＳＴ３４）。
【００６０】
スタッカの追加処理として、プロセッサ５１は、当該区分情報に対する割り振りスタッカ数を１つ増加（インクリメント）させる。振り振りスタッカ数を増加させると、プロセッサ５１は、紙葉類数／割り振りスタッカ数を再計算する。この再計算により、プロセッサ５１は、「紙葉類数／割り振りスタッカ数」と「紙葉類数を割り振りスタッカ数で割った余り」とを更新する。さらに、プロセッサ５１は、当該区分情報の２パス面のスタッカに対する１パス面の割り振りスタッカ総数も増加させる。
【００６１】
たとえば、１パスのスタッカを分割する判定する基準値を「４」とすれば、図１１に示す例における区分情報「００２」は、１パスのスタッカが追加される。図１２は、図１１の区分情報「００２」、「０１７」に対して１パスのスタッカを追加した例を示している。すなわち、区分情報「００２」に１パスのスタッカを追加すると、図１１に示すテーブルは、図１２に示すテーブルに更新される。図１２に示す例では、区分情報「００２」について、１パスの割り振りスタッカ数は「２」、「紙葉類数／割り振りスタッカ数」は「２」、「紙葉類数を割り振りスタッカ数で割った余り」は「１」に更新され、さらに、２パス面のスタッカＳ１に対する１パスのスタッカ総数は「６」に更新される。
【００６２】
スタッカを追加処理を実行した後、プロセッサ５１は、１パスのスタッカ総数が１パスの使用可能スタッカ数を超えたか否かを判断する（ＳＴ３５）。１パス面のスタッカ数が１パスの使用可能スタッカ数を超えたと判断した場合（ＳＴ３５、ＹＥＳ）、プロセッサ５１は、当該配達員に対する２パス面の割り振り再計算する処理を行う（ＳＴ３６）。
【００６３】
また、１パス面のスタッカ数が１パスの使用可能スタッカ数を超えていないと判断した場合（ＳＴ３５、ＮＯ）、あるいは、２パス面の割り振りを再計算した場合、プロセッサ５１は、２パスのスタッカの集積数がスタッカの最大集積数を超えているか否かを判断する（ＳＴ３７）。
【００６４】
２パスのスタッカの集積数がスタッカの最大集積数を超えていると判断した場合（ＳＴ３７、ＹＥＳ）、プロセッサ５１は、当該配達員に対する２パス面のスタッカの割り当て再計算する処理を行う（ＳＴ３８）。たとえば、図１２に示す例では、スタッカＳ１の集積数「１１」が図６に示すスタッカの最大集積数「１０」を超えている。このため、配達員Ａに対する２パスのスタッカの割り当てを再計算する。
【００６５】
図１３は、図１２に示す配達員Ａに対する２パスのスタッカの割り当てを再計算した例である。図１３に示す例では、配達員Ａに２パスのスタッカとして３つのスタッカＳ１、Ｓ２、Ｓ３を割り当て、各スタッカの集積数が最大集積数以下となるように設定されている。また、図１３に示す例では、配達員Ａに対する割り当て変更に伴って、配達員Ｂ，Ｃ，Ｄ，Ｅに割り当てる２パスのスタッカは、割り当てのスタッカを１つずつインクリメントされている。
【００６６】
また、割り振りスタッカ総数が１パスの使用可能スタッカ数を超えていないと判断した場合（ＳＴ３７、ＮＯ）、あるいは、２パス面のスタッカの割り当てを再計算した場合、プロセッサ５１は、２パス面のスタッカ総数（２パス面の最終スタッカ番号）が許容数を超えているか否かを判断する（ＳＴ３９）。許容数は、実績データを超える数の紙葉類が供給された場合であっても、スタッカが溢れることが少ないように、余裕を持たせるための設定である。たとえば、許容数としては、２パスの使用可能スタッカ数に対する所定の割合（例えば、９０％）を設定するようにしても良い。２パス面のスタッカ総数が許容数を超えていると判断した場合（ＳＴ３９、ＹＥＳ）、プロセッサ５１は、警告を報知して割り振りの再検討を促し、処理を中止する（ＳＴ４１）。
【００６７】
２パス面のスタッカ総数が許容数を超えていないと判断した場合（ＳＴ３９、ＮＯ）、プロセッサ５１は、ＳＴ３２へ戻り、「紙葉類数／割り振りスタッカ数」が最大のものを選択する。この選択した情報の「紙葉類数／割り振りスタッカ数」が基準値を超えれば（ＳＴ３３、ＹＥＳ）、プロセッサ５１は、選択した情報に着目して上述したＳＴ３４からの処理を実行する。
【００６８】
選択した情報の「紙葉類数／割り振りスタッカ数」が基準値を超えていないと判断した場合（ＳＴ３３、ＮＯ）、プロセッサ５１は、１パスの各スタッカの集積数が全て最大集積数以下であることを判断する（ＳＴ４０）。１パスの集積数が最大集積数を超えるものがあると判断した場合（ＳＴ４０、ＮＯ）、プロセッサ５１は、警告を報知して割り振りの再検討を促し、処理を中止する（ＳＴ４１）。
【００６９】
１パスの各スタッカの集積数が全て最大集積数以下であると判断した場合（ＳＴ４０、ＹＥＳ）、プロセッサ５１は、ＳＴ４０までの処理によって作成したデータを用いて１パス面を生成する処理を行う（ＳＴ５１〜ＳＴ６６）。
【００７０】
次に、実績データに基づく２パス面のデータを用いた１パス面の生成処理について説明する。  
図５は、１パス面を生成する処理としてのＳＴ５１〜ＳＴ６６の処理を示すフローチャートである。
【００７１】
すなわち、プロセッサ５１は、２パス面のスタッカのうち先頭のスタッカを選択する（ＳＴ５１）。２パス面の先頭のスタッカを選択すると、プロセッサ５１は、選択した２パス面のスタッカに割り当てられている最初の区分情報を選択する（ＳＴ５２）。プロセッサ５１は、選択した区分情報に対する１パス面のスタッカを設定する。また、プロセッサ５１は、選択した区分情報に対応する変数ａ、ｂ、ｃを定義する（ＳＴ５３）。ここで、ａは、割り振りスタッカ数であり、ｂは、紙葉類数／割り振りスタッカ数の値（商）であり、ｃは、紙葉類数／割り振りスタッカ数の余りであるものとする。たとえば、プロセッサ５１は、図１３の例の区分情報「００１」を選択した場合、ａ＝１、ｂ＝２、ｃ＝０をセットする。
【００７２】
区分情報を選択すると、プロセッサ５１は、選択した区分情報の紙葉類をセットする１パス面のスタッカを決定する（ＳＴ５４〜５６）。すなわち、プロセッサ５１は、第１に、２パス面のスタッカ番号が同じの区分情報の割り振りスタッカの総数を確認する（ＳＴ５４）。第２に、プロセッサ５１は、２パス面のスタッカ番号が同じ区分情報の割り振りスタッカの総数の分だけ、既にセットされている数が少ない順に１パス面のスタッカを選定する（ＳＴ５５）。第３に、プロセッサ５１は、区分情報が若い順（並び順）に、選定したスタッカを割り当てるため、選定したスタッカのうち紙葉類をセットしていない先頭スタッカを決定する（ＳＴ５６）。
【００７３】
たとえば、図１３の例の区分情報「００１」を選択した場合、プロセッサ５１は、スタッカＳ１が割り当てられた区分情報「００１」の割り当てスタッカ数「１」と区分情報「００２」の割り振りスタッカ数「２」との総数が「３」であることを確認する。この場合、全てのスタッカが空きであるため、プロセッサ５１は、区分情報「００１」と「００２」には３つのスタッカＳ１、Ｓ２、Ｓ３を選定する。プロセッサ５１は、これら３つのスタッカのうち先頭のスタッカＳ１を区分情報「００１」の紙葉類をセットするスタッカとして決定する。
【００７４】
１パス面のスタッカを決定すると、プロセッサ５１は、ｃ＞０であるか否かを判断する（ＳＴ５７）。ｃ＞０であると判断した場合、プロセッサ５１は、ｂの値をｂ＋１とし、ｃの値をｃ−１とする（ＳＴ５８）。ｃ＞０でない場合、つまり、ｃ＝０である場合（ＳＴ５７、ＮＯ）、あるいは、ｂの値を更新した場合（ＳＴ５８）、プロセッサ５１は、１パス面のスタッカとして決定したスタッカにｂの値をセットする（ＳＴ５９）。スタッカにｂの値をセットすると、プロセッサ５１は、ａの値をａ−１とした後（ＳＴ６０）、ａ＝０であるか否かを判断する（ＳＴ６１）。
【００７５】
ａ＝０でないと判断した場合（ＳＴ６１、ＮＯ）、プロセッサ５１は、次の１パス面のスタッカの設定を行う（ＳＴ６２）。この場合、プロセッサ５１は、ＳＴ５６へ進み、ＳＴ５５で選定済みのスタッカのうち１パス面が未設定の先頭スタッカを決定し（ＳＴ５６）、ＳＴ５８〜６１の処理を実行する。
【００７６】
また、ａ＝０であると判断した場合（ＳＴ６１、ＹＥＳ）、プロセッサ５１は、選択中の２パス面のスタッカが割り当てられた最後の区分情報であるか否かを判断する（ＳＴ６３）。最後の区分情報でないと判断した場合（ＳＴ６３、ＮＯ）、プロセッサ５１は、同じ２パス面のスタッカが割り当てられている区分情報のうち１パス面が設定の次の区分情報を選択し（ステップＳ６４）、選択した区分情報についてＳＴ５３〜６３の処理を実行する。
【００７７】
また、最後の区分情報であると判断した場合（ＳＴ６３、ＹＥＳ）、プロセッサ５１は、選択中の２パス面のスタッカが最後のスタッカであるか否かを判断する（ＳＴ６５）。最後のスタッカではないと判断した場合（ＳＴ６５、ＮＯ）、プロセッサ５１は、１パス面が設定である２パス面のスタッカから次の２パス面のスタッカを選択し（ステップＳ６６）、選択した２パス面のスタッカについてＳＴ５２〜６５の処理を実行する。  
上記したＳＴ５１〜６５の処理によって、実績データで得られた全ての紙葉類の区分情報に対して１パス面が設定される
次に、上記ＳＴ５１〜６５の処理によって得られる１パス面の設定について、図１３に示すデータを例にとして説明するものとする。
【００７８】
図１４〜図３３は、上記ＳＴ５１〜６５の処理によってセットされる１パス面の設定例である。  
まず、２パス面のスタッカＳ１には、区分情報「００１」と「００２」が割り当てられる。区分情報「００１」及び「００２」には、１パス面のスタッカとして、図１４及び図１５に示すように、３つのスタッカＳ１、Ｓ２、Ｓ３が設定される。図１４は、区分情報「００１」に対する１パス面の設定を示す図である。図１４に示すように、区分情報「００１」としては、スタッカＳ１に「２」がセットされる。図１５は、区分情報「００２」に対する１パス面の設定を示す図である。区分情報「００２」は、割り振りスタッカ数が「２」である。このため、図１５に示すように、区分情報「００２」としては、スタッカＳ１に続くスタッカＳ２に「３」がセットされ、スタッカＳ２に続くスタッカＳ３に「２」がセットされる。
【００７９】
また、２パス面のスタッカＳ２に対しては、区分情報「００３」、「００４」、「００５」、「００６」、「００７」が割り当てられる。区分情報「００３」〜「００７」には、１パス面のスタッカとして、図１６乃至及び図２０に示すように、５つのスタッカＳ４、Ｓ５、Ｓ６、Ｓ７、Ｓ８がセットされる。図１６は、区分情報「００３」に対する１パス面の設定を示す図である。図１６に示すように、区分情報「００３」としては、スタッカＳ４に「１」がセットされる。図１７は、区分情報「００４」に対する１パス面の設定を示す図である。図１７に示すように、区分情報「００４」としては、スタッカＳ４に続くスタッカＳ５に「１」がセットされる。図１８は、区分情報「００５」に対する１パス面の設定を示す図である。図１８に示すように、区分情報「００５」としては、スタッカＳ５に続くスタッカＳ６に「２」がセットされる。図１９は、区分情報「００６」に対する１パス面の設定を示す図である。図１９に示すように、区分情報「００６」としては、スタッカＳ６に続くスタッカＳ７に「１」がセットされる。図２０は、区分情報「００７」に対する１パス面の設定を示す図である。図２０に示すように、区分情報「００７」としては、スタッカＳ７に続くスタッカＳ８に「１」がセットされる。
【００８０】
また、２パス面のスタッカＳ３に対しては、区分情報「００８」、「００９」、「０１０」が割り当てられる。区分情報「００８」〜「０１０」には、図２１乃至及び図２３に示すように、１パス面のスタッカとする３つのスタッカとして、セットされている紙葉類の少ない、３つのスタッカＳ４、Ｓ５、Ｓ７が選定される。図２１は、区分情報「００８」に対する１パス面の設定を示す図である。図２１に示すように、区分情報「００８」としては、スタッカＳ４に「２」が加算され、スタッカＳ４が「１＋２＝３」に更新される。図２２は、区分情報「００９」に対する１パス面の設定を示す図である。図２２に示すように、区分情報「００９」としては、スタッカＳ５に「１」が加算され、スタッカＳ５が「１＋１＝２」に更新される。図２３は、区分情報「０１０」に対する１パス面の設定を示す図である。図２３に示すように、区分情報「０１０」としては、スタッカＳ７に「３」が加算され、スタッカＳ７が「１＋３＝４」に更新される。
【００８１】
また、２パス面のスタッカＳ４に対しては、区分情報「０１１」、「０１２」が割り当てられる。区分情報「０１１」、「０１２」には、図２４乃至及び図２５に示すように、１パス面のスタッカとする２つのスタッカとして、セットされている紙葉類の少ない、２つのスタッカＳ１、Ｓ８が選定される。図２４は、区分情報「０１１」に対する１パス面の設定を示す図である。図２４に示すように、区分情報「０１１」としては、最も紙葉類の少ないスタッカＳ８ではなく、スタッカＳ１及びＳ８のうち、先頭側のスタッカＳ１が選択される。これにより、区分情報「０１１」としては、スタッカＳ１に「３」が加算され、スタッカＳ１が「２＋３＝５」に更新される。図２５は、区分情報「０１２」に対する１パス面の設定を示す図である。図２５に示すように、区分情報「０１２」としては、スタッカＳ８に「４」が加算され、スタッカＳ８が「１＋４＝５」に更新される。
【００８２】
また、２パス面のスタッカＳ５に対しては、区分情報「０１３」、「０１４」、「０１５」が割り当てられる。区分情報「０１３」〜「０１４」には、図２６乃至４０に示すように、１パス面のスタッカとする３つのスタッカとして、セットされている紙葉類の少ない、３つのスタッカＳ３、Ｓ５、Ｓ６が選定される。図２６は、区分情報「０１３」に対する１パス面の設定を示す図である。図２６に示すように、区分情報「０１３」としては、スタッカＳ３に「１」が加算され、スタッカＳ３が「２＋１＝３」に更新される。図２７は、区分情報「０１４」に対する１パス面の設定を示す図である。図２７に示すように、区分情報「０１４」としては、スタッカＳ５に「４」が加算され、スタッカＳ５が「２＋４＝６」に更新される。図２８は、区分情報「０１５」に対する１パス面の設定を示す図である。図２８に示すように、区分情報「０１５」としては、スタッカＳ６に「４」が加算され、スタッカＳ６が「２＋４＝６」に更新される。
【００８３】
また、２パス面のスタッカＳ６に対しては、区分情報「０１６」、「０１７」、「０１８」が割り当てられる。区分情報「０１６」〜「０１８」には、図２９乃至４３に示すように、１パス面のスタッカとする４つのスタッカとして、セットされている紙葉類の少ない、４つのスタッカＳ２、Ｓ３、Ｓ４、Ｓ７が選定される。図２９は、区分情報「０１６」に対する１パス面の設定を示す図である。図２９に示すように、区分情報「０１６」としては、スタッカＳ２に「３」が加算され、スタッカＳ２が「３＋３＝６」に更新される。図３０は、区分情報「０１７」に対する１パス面の設定を示す図である。図３０に示すように、区分情報「０１７」は、割り振りスタッカ数が「２」であるため、スタッカＳ３、Ｓ４、スタッカＳ５が割り当てられる。区分情報「０１７」としては、スタッカ３に「ｂ＋ｃ＝３」が加算され、スタッカＳ３が「３＋３＝６」に更新され、さらに、スタッカ４に「ｂ＝２」が加算され、スタッカＳ４が「３＋２＝５」に更新される。また、図３１は、区分情報「０１８」に対する１パス面の設定を示す図である。図３１に示すように、区分情報「０１８」としては、スタッカＳ７に「１」が加算され、スタッカＳ７が「４＋１＝５」に更新される。
【００８４】
また、２パス面のスタッカＳ７に対しては、区分情報「０１９」、「０２０」が割り当てられる。区分情報「０１９」、「０２０」には、図３２及び４５に示すように、１パス面のスタッカとする２つのスタッカとして、セットされている紙葉類の少ない、２つのスタッカＳ１、Ｓ４が選定される。図３２は、区分情報「０１９」に対する１パス面の設定を示す図である。図３２に示すように、区分情報「０１９」としては、スタッカＳ１に「２」が加算され、スタッカＳ１が「５＋２＝７」に更新される。図３３は、区分情報「０２０」に対する１パス面の設定を示す図である。図３３に示すように、区分情報「０２０」としては、スタッカＳ４に「４」が加算され、スタッカＳ７が「５＋４＝９」に更新される。
【００８５】
上述した処理を適用すれば、本実施形態の区分装置は、過去の処理データ（実績データ）に基づいて、各スタッカに均一に紙葉類を区分できるような１パス面の生成が可能となる。たとえば、図３３に示す例では、最終的な１パス面の設定結果では満杯となるスタッカがない。このように、実際に供給する紙葉類が１パス面を生成するのに用いた実績データと似た傾向があれば、スタッカの溢れがなく、各スタッカに均一に紙葉類が集積される１パスの区分結果が得られると考えられる。
【００８６】
上記のように、本実施形態に係る区分装置は、サーバ２から区分情報ごとの過去の処理数を示す実績データを取得し、取得した実績データを用いて２パス目の区分処理の処理結果をシュミレーションし、シュミレーション結果を基に１パス目の区分処理において各スタッカの集積数が均一化するように１パス面を生成する。  
これにより、区分装置は、区分情報が未確定な紙葉類を区分処理する１パス目の区分処理においても、あふれの可能性を低減でき、オペレータの作業負荷を軽減できる。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
２…センタサーバ、１１…制御部、１２…記憶部、１３…インターフェース、Ｂ…区分装置本体、２０…制御部、２１…供給部、２２…搬送部、２３…判別部、２４…集積部、Ｓ…スタッカ、２５…オペレーションパネル、３１…プロセッサ、３２…メモリ、３３…インターフェース、３４…区分テーブル、Ｃ…コンピュータ、５１…プロセッサ、５２…メモリ、５３…インターフェース。
【図１】
2015150478.tif 000003
【図２】
2015150478.tif 000004
【図３】
2015150478.tif 000005
【図４】
2015150478.tif 000006
【図５】
2015150478.tif 000007
【図６】
2015150478.tif 000008
【図７】
2015150478.tif 000009
【図８】
2015150478.tif 000010
【図９】
2015150478.tif 000011
【図１０】
2015150478.tif 000012
【図１１】
2015150478.tif 000013
【図１２】
2015150478.tif 000014
【図１３】
2015150478.tif 000015
【図１４】
2015150478.tif 000016
【図１５】
2015150478.tif 000017
【図１６】
2015150478.tif 000018
【図１７】
2015150478.tif 000019
【図１８】
2015150478.tif 000020
【図１９】
2015150478.tif 000021
【図２０】
2015150478.tif 000022
【図２１】
2015150478.tif 000023
【図２２】
2015150478.tif 000024
【図２３】
2015150478.tif 000025
【図２４】
2015150478.tif 000026
【図２５】
2015150478.tif 000027
【図２６】
2015150478.tif 000028
【図２７】
2015150478.tif 000029
【図２８】
2015150478.tif 000030
【図２９】
2015150478.tif 000031
【図３０】
2015150478.tif 000032
【図３１】
2015150478.tif 000033
【図３２】
2015150478.tif 000034
【図３３】
2015150478.tif 000035